(57)【特許請求の範囲】
【請求項１】
流し台の水槽の後方かつ上方に取付部を有し、無色透明の飛沫防止カバーの後部が横方向の軸により前記取付部に回動自在に取り付けられて前記飛沫防止カバーが上下方向に回動可能とされ、前記飛沫防止カバーは、その前部が前記水槽の前縁上面に当接した状態において、前記水槽の上方及び前方を遮蔽する、
ことを特徴とする洗浄飛沫防止装置。
【請求項２】
前記飛沫防止カバーは、その両側が中間部から前部に亘ってカバー幅が幅狭となるように欠切されていることを特徴とする請求項１に記載の洗浄飛沫防止装置。
【請求項３】
前記飛沫防止カバーを上方の回動位置で係止するロック機構を備えていることを特徴とする請求項１または２に記載の洗浄飛沫防止装置。
【発明の詳細な説明】
【技術分野】
【０００１】
本発明は、医療用の微細な器具や内腔物品の手洗いによる再生業務(洗浄)の際、作業者への飛沫による感染を防止する洗浄飛沫防止装置に関する。
【背景技術】
【０００２】
近年、手術・処置・看護業務の高度化に伴い、微細な器具や内腔物品も多く、手洗いによる再生業務(洗浄)の必要性が多く、作業者への飛沫による感染のリスクが高まっている。また、看護業務においても汚染物品の取り扱いの際、飛沫による感染の危険性が高く、洗浄や取り扱い後の処理の際、飛沫による感染を防止する必要性がある。
【０００３】
現在、中材・洗浄室・汚物処理室等において感染性物品の洗浄取り扱いを行う際、アメリカ並びにヨーロッパでは、作業者はキャップ、マスク、ゴーグル、防水性エプロン及び手袋の装着が義務化されている。しかしながら、日本国内においては推奨されているに過ぎず、必ずしもすべての作業者が装着しているわけではない。
【０００４】
なお、一般家庭用の流し台の外に水道水や洗浄水等が飛散するのを防ぐ洗浄飛沫防止具が開示されている（特許文献１〜特許文献７）。
【０００５】
【特許文献１】登録実用新案第３００５８３９号公報
【特許文献２】実公平７−１９４０８号公報
【特許文献３】特開２０００−２７１０２２号公報
【特許文献４】特開平１０−１１３２９６号公報
【特許文献５】特開平８−１０１７９号公報
【特許文献６】実開平７−３６９９７号公報
【特許文献７】実用新案登録第３０７９０９４号公報
【発明の開示】
【発明が解決しようとする課題】
【０００６】
上記特許文献１〜特許文献７に開示された洗浄飛沫防止具は、何れも流し台の水槽の前縁部に上方に向けて防水板を立設した構造であり、これらの主たる作用・目的は、何れも作業者の胴部や衣服への洗浄水の飛沫を防ぐものに過ぎない。一方、医療用の微細な器具や内腔物品等の手洗いによる洗浄の際には、血液や体液等の作業者の顔面（例えば、目に入る）への飛沫による感染を防止しなければならない。したがって、作業者の胴部から頭部に至るまで、飛沫を確実に防止する必要がある。
【０００７】
そこで、本発明は、洗浄業務や汚染物品を取り扱う際、洗浄であれば流し台に、または汚物処理室であれば汚物流しにおいて、作業者の胴部から頭部に至るまで飛沫を確実に防止できる洗浄飛沫防止装置を提供することにある。
【課題を解決するための手段】
【０００８】
請求項１に係る洗浄飛沫防止装置は、上記課題を解決するために、流し台の水槽の後方かつ上方に取付部を有し、無色透明の飛沫防止カバーの後部が横方向の軸により前記取付部に回動自在に取り付けられて前記飛沫防止カバーが上下方向に回動可能とされ、前記飛沫防止カバーは、その前部が前記水槽の前縁上面に当接した状態において、前記水槽の上方及び前方を遮蔽することを特徴とする。
【０００９】
請求項２に係る洗浄飛沫防止装置は、請求項１に係る洗浄飛沫防止装置において、前記飛沫防止カバーの両側が中間部から前部に亘ってカバー幅が幅狭となるように欠切されていることを特徴とするものである。
【００１０】
請求項３に係る洗浄飛沫防止装置は、請求項１または２に係る洗浄飛沫防止装置において、前記飛沫防止カバーを上方の回動位置で係止するロック機構を備えていることを特徴とするものである。
【発明の効果】
【００１１】
請求項１に係る洗浄飛沫防止装置によれば、無色透明の飛沫防止カバーを下方に向けて回動させて飛沫防止カバーの前部が水槽の前縁上面に当接した状態とすると、飛沫防止カバーによって水槽の上方及び前方が遮蔽されるので、洗浄業務や汚染物品を取り扱う際、洗浄であれば流し台に、または汚物処理室であれば汚物流しにおいて、作業者の胴部から頭部に至るまで飛沫を確実に防止できる。これによって、血液や体液等の作業者の顔面（例えば、目に入る等）への飛沫による感染を防止できることになる。また、飛沫防止カバーは無色透明であるので、作業中の視認性を確保できる。
【００１２】
請求項２に係る洗浄飛沫防止装置によれば、飛沫防止カバーの両側が中間部から前部に亘ってカバー幅が幅狭となるように欠切されていることにより、作業者が手を欠切されている部分に入れることができ、飛沫防止カバー自体で洗浄作業を阻害することなく、洗浄作業が行いやすい。
【００１３】
請求項３に係る洗浄飛沫防止装置によれば、飛沫防止カバーを上方の回動位置で係止するロック機構を備えているので、洗浄作業を行っていない場合、飛沫防止カバーを上方の回動位置に係止させておけばよく、飛沫防止カバーが邪魔になることがない。
【発明を実施するための最良の形態】
【００１４】
以下、本発明の実施の形態を図面を参照して説明する。図１は本発明の実施形態に係る洗浄飛沫防止装置を備えた流し台の正面図であり、図２は洗浄飛沫防止装置を備えた流し台の平面図であり、図３は洗浄飛沫防止装置を備えた流し台の側面図である。図１〜図３において、流し台１は、床面に載置された合板製の流し台本体２と、流し台本体２の上部に取り付けられたステンレス鋼板製の上板３とから構成されている。上板３の中央並びに右側には水槽（シンク）４，４が形成され、上板３の左側には載置板５が一体に形成されている。また、上板３の後部には、水槽４，４及び載置板５の上方において背面を形成する背面パネル６が上板３と一体に形成されている。
【００１５】
水槽４，４の後部上縁の中央には、左右に揺動する吐水口７を備えた湯水混合式のタップ８，８がそれぞれ取り付けられ、左側のタップ８の左方にはエアーガン９が取り付けられ、中央のタップ８の右方にはウォーターガン１０が取り付けられている。また、中央のタップ８の左方において、ブラシ置き１１が背面パネル６に取り付けられている。載置板５上には超音波洗浄装置１２が設置され、超音波洗浄装置１２の後方において、背面パネル６の上部に器具洗浄ブラシキット１３が配設されている。
【００１６】
中央及び左方の水槽４，４の上方には、洗浄飛沫防止装置１４，１４がそれぞれ配置されている。洗浄飛沫防止装置１４は、概略として、図３に示すように、中央及び左方の水槽４，４の後方かつ上方の背面パネル６の上部に設けられた左右の一対の取付部材（請求項１に記載の取付部に相当、後述の第１ヒンジ金具１５，１５）に対して、無色透明の飛沫防止カバー１７の後部の両側が横方向の軸（後述の第２ヒンジ金具１６，１６に設けられた支軸突起３４）により回動自在に取り付けられ、飛沫防止カバー１７が軸を中心として上下方向に回動可能とされている。飛沫防止カバー１７は、その前部が水槽４の前縁上面に当接した状態において、水槽４の上方及び前方を遮蔽するものである。
【００１７】
その他、図１において、符号２０は流し台本体２の上部左側寄りに設けられた引き出しであり、符号１８は流し台本体２の内部左側に配置されたコンプレッサであり、符号１９はコンプレッサ１８を作動させるためのコンプレッサ用スイッチである。
【００１８】
図４は洗浄飛沫防止装置１４の正面図、図５は洗浄飛沫防止装置１４の平面図、図６は洗浄飛沫防止装置１４の側面図である。図４乃至図６に示すように、洗浄飛沫防止装置１４は、無色透明の飛沫防止カバー１７と、飛沫防止カバー１７の左右両側の後部に取り付けられた第２ヒンジ金具１６，１６と、第２ヒンジ金具１６，１６に対応して、背面パネル６の上部において取り付けられた左右の一対の第１ヒンジ金具１５，１５とで構成されている。
【００１９】
実施形態の飛沫防止カバー１７は、洗浄物品や汚染物品を取り扱いの際、視認性を確保するために無色透明なアクリル製で構成されている。なお、飛沫防止カバー１７の厚みを５ｍｍ〜１０ｍｍとすることが好ましい。飛沫防止カバー１７は、飛沫防止カバー１７の後部分を構成する横長で水平な上板部２１と、上板部２１の前縁から前方に向けて下方に傾斜する傾斜遮蔽板部２２と、傾斜遮蔽板部２２の前縁から下方に向けて延設された前面板部２３とにより構成されている。
【００２０】
飛沫防止カバー１７は、その両側が中間部から前部に亘ってカバー幅が幅狭となるように欠切されている。即ち、傾斜遮蔽板部２２の両側が中間部から前部に亘ってカバー幅が幅狭に欠切され、傾斜遮蔽板部２２の前縁に連続する前面板部２３も同じカバー幅に両側が欠切されている（欠切部１７ａ）。なお、欠切部１７ａの基端部分は、角張らないように丸み部１７ｂに形成されている。また、水槽４の前縁上面に当接される前面板部２３の下端縁は、全域に亘ってクッション性のゴム材２３ａで被覆されている。また、前面板部２３の中央には上げ下げ時に把持する取っ手２３ｂが設けられている。飛沫防止カバー１７は、第２ヒンジ金具１６，１６及び第１ヒンジ金具１５，１５を介して背面パネル６の上部に回動自在に取り付けられている。
【００２１】
図７は第１ヒンジ金具１５の正面図であり、図８は第１ヒンジ金具１５の平面図であり、図９は第１ヒンジ金具１５の側面図である。第１ヒンジ金具１５は、正面視が略矩形の平板よりなる取付板部２４と、取付板部２４の外側縁から前方に向けて直角に折曲された板状の支持板部２５とが一体に形成されてなる。取付板部２４の適宜箇所には４つの取付用孔（図示せず）が設けられており、第１ヒンジ金具１５は、各取付用孔に取付ねじ２６を挿通し、取付ねじ２６を背面パネル６の前面にねじ込むことにより取り付けられている。
【００２２】
図９に示すように、支持板部２５の中央上部寄りには、前後方向に沿う長孔よりなるガイド孔２７が設けられ、支持板部２５の前端縁の上部には前方に突出された上部ストッパ２８が設けられ、上部ストッパ２８の下方には前方に開口されると共に中央に向けて半長孔状に切り欠いたスライド孔２９が形成され、スライド孔２９の前端の開口よりも下側の支持板部２５の前端縁には円弧状に形成された回動ガイド部３０が設けられ、回動ガイド部３０の後端には、下方に向けて突出された下部ストッパ３１が設けられている。
【００２３】
図１０は第２ヒンジ金具１６の正面図であり、図１１は第２ヒンジ金具１６の平面図であり、図１２は第２ヒンジ金具１６の側面図である。第２ヒンジ金具１６は、正面視において水平で平らな平板状の取付板部３２と、取付板部３２の外側縁から下方に向けて直角に折曲された板状の被支持板部３３とが一体に形成されてなる。取付板部３２は、平面視において中央寄りから前方に向けて一側縁（内側縁）から他側縁（外側縁）に向けて幅狭となる形状とされ、取付板部３２の適宜箇所には５つの取付用孔（図示せず）が設けられており、第２ヒンジ金具１６は、各取付用孔に取付ねじ３６を挿通し、取付ねじ３６を飛沫防止カバー１７の上面にねじ込むことにより取り付けられている。
【００２４】
図１２に示すように、被支持板部３３は、側面視において中央寄りから前方に向けて下側縁から上側縁に向けて幅狭となる形状とされ、被支持板部３３の中央上部寄りには、円柱状の支軸突起３４が設けられ、支軸突起３４の下方の被支持板部３３の下側縁寄りには摺動突起３５が設けられている。
【００２５】
そして、第１ヒンジ金具１５に対して第２ヒンジ金具１６が次のように回動自在に係合されている。図１３は飛沫防止カバー１７を下げた状態における第１ヒンジ金具１５と第２ヒンジ金具１６との係合状態を示す側面図であり、図１４は飛沫防止カバー１７を上げた状態における第１ヒンジ金具１５と第２ヒンジ金具１６との係合状態を示す側面図である。第１ヒンジ金具１５の支持板部２５の内側に第２ヒンジ金具１６の被支持板部３３が配置されると共に、第２ヒンジ金具１６の支軸突起３４が第１ヒンジ金具１５のガイド孔２７に挿通され、第２ヒンジ金具１６の摺動突起３５が第１ヒンジ金具１５の回動ガイド部３０に摺接される。
【００２６】
図１３に示すように、飛沫防止カバー１７を下げた状態では、すなわち、飛沫防止カバー１７の前部が水槽４の前縁上面に当接した状態では、第２ヒンジ金具１６の支軸突起３４が第１ヒンジ金具１５のガイド孔２７の前端に位置し、第２ヒンジ金具１６の摺動突起３５が第１ヒンジ金具１５の回動ガイド部３０の下端（後端）に位置すると共に、摺動突起３５が第１ヒンジ金具１５の下部ストッパ３１に当接されている。飛沫防止カバー１７を下げた状態では、飛沫防止カバー１７の傾斜遮蔽板部２２が水槽４の上方及び前方を遮蔽し、飛沫防止カバー１７の前面板部２３が水槽４の前方を遮蔽する（図３参照）。
【００２７】
作業者が取っ手２３ｂを持って飛沫防止カバー１７を上方に上げると、ガイド孔２７の前端に位置した状態の支軸突起３４を軸として第２ヒンジ金具１６及び飛沫防止カバー１７が一体に図１３の時計方向に回動し、摺動突起３５が第１ヒンジ金具１５の回動ガイド部３０に摺接しながら時計方向に回動し、摺動突起３５が回動ガイド部３０の上端に移動すると上部ストッパ２８に当接し、飛沫防止カバー１７のそれ以上の時計方向への回動が規制される。すなわち、飛沫防止カバー１７の上昇が規制される（図１４参照）。
【００２８】
なお、図１５は、飛沫防止カバー１７を上方の回動位置においてロック部材３８によりロックした状態の第１ヒンジ金具１５と第２ヒンジ金具１６とを示す側面図である。飛沫防止カバー１７の上昇が規制された状態において、作業者が飛沫防止カバー１７を背面パネル６に向けて押すと、図１５に示すように、飛沫防止カバー１７を上げた状態では、摺動突起３５がスライド孔２９に入り込むと共に、支軸突起３４がガイド孔２７に沿って後方に移動することにより、飛沫防止カバー１７及び第２ヒンジ金具１６が第１ヒンジ金具１５に対して後方に移動し、摺動突起３５がスライド孔２９の末端に当接すると共に、支軸突起３４がガイド孔２７の後端に当接すると、飛沫防止カバー１７及び第２ヒンジ金具１６の後方への移動が規制されて飛沫防止カバー１７が上方の回動位置に保持される。なお、図６において、上方の回動位置に保持されている飛沫防止カバー１７を点線で示している。
【００２９】
図１３乃至図１５に示すように、第１ヒンジ金具１５の支持板部２５の後端寄りの上部に、先端に鉤状のフック部３７を備えたロック部材３８の基部を回動自在に取り付け、ロック部材３８を前方に向けて回動させ、フック部３７で支軸突起３４を係止し、支軸突起３４のガイド孔２７に対する前方への移動をロックする構成とすることができる（図１５参照）。これにより、飛沫防止カバー１７を上方の回動位置で係止することができる。
【００３０】
以上に説明した実施形態の洗浄飛沫防止装置１４によれば、無色透明の飛沫防止カバー１７を下方に向けて回動させて飛沫防止カバー１７の前部下端（ゴム材２３ａ）を水槽４の前縁上面に当接した状態とすると、飛沫防止カバー１７によって水槽４の上方及び前方が遮蔽されることになる。従って、洗浄業務や汚染物品を取り扱う際、洗浄であれば流し台に、または汚物処理室であれば汚物流しにおいて、作業者の胴部から頭部に至るまで飛沫を確実に防止できる。これによって、血液や体液等の作業者の顔面（例えば、目に入る等）への飛沫による感染を防止できることになる。また、飛沫防止カバー１７は無色透明であるので、作業中の視認性を確保できる。
【００３１】
飛沫防止カバー１７の両側が中間部から前部に亘ってカバー幅が幅狭となるように欠切されていることにより、作業者が手を飛沫防止カバー１７の欠切部１７ａに入れることができるので、飛沫防止カバー自体で洗浄作業を阻害することなく、洗浄作業が行いやすい。また、欠切部１７ａの基端部分は、角張らないように丸み部１７ｂに形成されているから、作業者の腕に馴染みやすい。
【００３２】
飛沫防止カバー１７を上方の回動位置で係止するロック機構（支軸突起３４を係止するフック部３７を備えたロック部材３８）を備えているので、洗浄作業を行っていない場合、飛沫防止カバー１７を上方の回動位置に係止させておけばよく、飛沫防止カバー１７が邪魔になることがない。
【図面の簡単な説明】
【００３３】
【図１】本発明の実施形態に係る洗浄飛沫防止装置を備えた流し台の正面図である。
【図２】同上の洗浄飛沫防止装置を備えた流し台の平面図である。
【図３】同上の洗浄飛沫防止装置を備えた流し台の側面図である。
【図４】洗浄飛沫防止装置の正面図である。
【図５】洗浄飛沫防止装置の平面図である。
【図６】洗浄飛沫防止装置の側面図である。
【図７】第１ヒンジ金具の正面図である。
【図８】第１ヒンジ金具の平面図である。
【図９】第１ヒンジ金具の側面図である。
【図１０】第２ヒンジ金具の正面図である。
【図１１】第２ヒンジ金具の平面図である。
【図１２】第２ヒンジ金具の側面図である。
【図１３】飛沫防止カバーを下げた状態における第１ヒンジ金具と第２ヒンジ金具との係合状態を示す側面図である。
【図１４】飛沫防止カバーを上げた状態における第１ヒンジ金具と第２ヒンジ金具との係合状態を示す側面図である。
【図１５】飛沫防止カバーを上方の回動位置においてロック部材によりロックした状態の第１ヒンジ金具と第２ヒンジ金具とを示す側面図である。
【符号の説明】
【００３４】
１  流し台
２  流し台本体
３  上板
４  水槽（シンク）
５  載置板
６  背面パネル
７  吐水口
８  タップ
９  エアーガン
１０  ウォーターガン
１１  ブラシ置き
１２  超音波洗浄装置
１３  器具洗浄ブラシキット
１４  洗浄飛沫防止装置
１５  第１ヒンジ金具
１６  第２ヒンジ金具
１７  飛沫防止カバー
１７ａ  欠切部
１７ｂ  丸み部
１８  コンプレッサ
１９  コンプレッサ用スイッチ
２０  引き出し
２１  上板部
２２  傾斜遮蔽板部
２３  前面板部
２３ａ  ゴム材
２３ｂ  取っ手
２４  取付板部
２５  支持板部
２６  取付ねじ
２７  ガイド孔
２８  上部ストッパ
２９  スライド孔
３０  回動ガイド部
３１  下部ストッパ
３２  取付板部
３３  被支持板部
３４  支軸突起
３５  摺動突起
３６  取付ねじ
３７  フック部
３８  ロック部材
【図１】
0004327881.tif 000002
【図２】
0004327881.tif 000003
【図３】
0004327881.tif 000004
【図４】
0004327881.tif 000005
【図５】
0004327881.tif 000006
【図６】
0004327881.tif 000007
【図７】
0004327881.tif 000008
【図８】
0004327881.tif 000009
【図９】
0004327881.tif 000010
【図１０】
0004327881.tif 000011
【図１１】
0004327881.tif 000012
【図１２】
0004327881.tif 000013
【図１３】
0004327881.tif 000014
【図１４】
0004327881.tif 000015
【図１５】
0004327881.tif 000016